(57)【要約】      （修正有）【課題】血行や神経の流れを改善し、床ずれの防止や、疼痛や疲労を緩和することができる介護用ネットを提供する。【解決手段】ベッドシーツ３の下に、共鳴電磁波の転写発振体である介護用ネット２を敷き、介護用ネットから３２〜３８テラヘルツの共鳴電磁波５を発振することにより、ベッドシーツの上で寝ている人の体１の各部のツボを刺激し、体細胞や血流の水分や各種成分の水素結合を分断し、高分子量成分を低分子量化し活性化する。【選択図】図１
0003199453.tif 000002
【実用新案登録請求の範囲】
【請求項１】
特定周波数の共鳴電磁波を放射することを特徴とする介護用ネット。
【請求項２】
請求項１に記載の特定の周波数は、３２〜３８テラヘルツであることを特徴とする介護用ネット。
【考案の詳細な説明】
【技術分野】
【０００１】  本考案は、３２〜３８テラヘルツの共鳴電磁波を放射することを特徴とする介護用ネットに関するものである。ベッドシーツの下に敷くだけで、当該電磁波が、血流を改善し、床ずれを防止したり、体の各部のツボを刺激して疲労や疼痛を緩和する。
【背景技術】
【０００２】  近年、消臭や抗菌剤処理をした機能性のある介護用ベッドシーツが流行している。【０００３】  また、遠赤外線やその他の周波数領域の電磁波を発振する鉱物や金属やセラミックを練りこんだベッドやベッドシーツが、疼痛や疲労の緩和を目的として開発されているが、効果の安定性や均一性や耐久性に問題があるものがほとんどである。その主な理由として遠赤外線領域電磁波の発生源や周波数が特定されておらず、また現在の技術レベルでその周波数や効果を定量的に解析することが難しいためと考えられる。
【特許文献１】特開２００８−２８９８２３
【特許文献２】特開２０００−２１７６６９
【特許文献３】特開平８−２４３１２６
【特許文献４】特開平８−１９１７４６
【考案の概要】
【考案が解決しようとする課題】
【０００４】  ベッド表面の汚れを防止したり、寝ている人の人体から発生する水分の吸湿のためにベッド上にベッドシーツを敷くことが多いが、近年、遠赤外線を放出する物質を練り込むことで、消臭や抗菌機能を有する機能性ベッドシーツも開発されている。しかし遠赤外線の周波数が明確でないものが多く、効果も安定せず、広く普及するための問題となっている。
【課題を解決するための手段】
【０００５】  このような課題を解決するために本考案者は、３２〜３８テラヘルツの共鳴電磁波が水分子クラスターの水素結合を分断したり、電子の散乱運動を円滑にすることができることに着目した。【０００６】  すなわち、３２〜３８テラヘルツの共鳴電磁波を、２〜１２時間、２０℃〜９０℃の温度条件下で、介護用ネットの素材に照射することで、当該介護用ネット自体を当該共鳴電磁波の転写放射体とする。【０００７】  介護用ネットの素材自体を共鳴電磁波の転写放射体とすることで、共鳴電磁波を放射するセラミックや金属の粉末を混入させたベッドシーツよりも安定性や耐久性が増し、当該粉末の剥離により効力を減じるという問題を解決できる。【０００８】  また、介護用ネットから放射される共鳴電磁波の周波数を３２〜３８テラヘルツと限定することで、周波数によって効果が明確にできないという問題点を解決できる。
【考案の効果】
【０００９】  本考案によれば、ベッドシーツの下に敷くだけで、寝ている間に、血流や神経の流れを改善でき、体の各部のツボを刺激し疲労や疼痛を緩和できる効果が明確で持続性の高い３２〜３８テラヘルツの共鳴電磁波を放射する汎用性の高い介護用ネットを提供できる。【００１０】  また、本考案による介護用ネットは、衣類を身につけたままの状態でも、当該ベッドシーツの下に敷いて、その上に寝るだけで、直接体に接触することなく、３２〜３８テラヘルツの共鳴電磁波を体全体に照射する。【００１１】  また、当該共鳴電磁波は、当該介護用ネットの上に寝ている人の体全体の皮膚細胞や血流の水分や各種成分の水素結合を共振励起し、当該水素結合を分離する。そして当該水素結合から放出された電子が高速で血液中や細胞水中を移動し、他の原子や分子と衝突することにより次々とカスケード的に電子（マイナスイオン）が大量に放出され、当該血液や細胞水を低分子量化し、酸化還元電位を還元側にし、水分のＰＨ値をアルカリ側にし、当該血液や細胞水を活性化する。【００１２】  また、低分子量化され活性化された血液は血行を改善し、床ずれを防止する。【００１３】  また、低分子量化され活性化された細胞水は筋肉細胞を柔軟にし、血管や神経の圧迫を解放し、疼痛や疲労を緩和する。
【考案を実施するための形態】
【００１４】  以下、本考案の実施形態について図面を参照しながら詳細に説明する。
図１は、本考案の介護用ネットの作用概念の断面を示す。
【００１５】  図１に示すように、本考案の介護用ネット２をベッドシーツ３とベッドマット４の間に敷き、その上に体１を置く。
【００１６】  当該介護用ネット２は、プラスチックや天然繊維や化学繊維により製作され、重量も軽く、簡単に折りたたんだり伸ばしたりできるため取り扱いが容易である。
【００１７】  当該介護用ネット２は、３２〜３８テラヘルツの共鳴電磁波５を放射し、ベッドシーツ３や衣服を透過して、体１に照射され、体１の細胞水や血液を構成する水分子クラスター６の水素結合を分断し、水単分子７とするとともに電子８を体１内部に放出する。
【００１８】  また、低分子量化或いは単分子化した水単分子７は、血行を改善することにより、寝たきり状態の人の床ずれを防止する。
【００１９】  また、低分子量化され活性化された細胞水は細胞を柔軟にし、血管や神経の圧迫を解放し、結果的に疼痛や疲労を緩和する。
【００２０】  さらに、水素結合が分離されて放出される電子８の還元効果で、体の老化を防止することができる。
【実施例】
【００２１】  体が不自由で寝たきりの人に、本考案の介護用ネットを試してもらったところ、腰の痛みが緩和され、床ずれの症状が改善されたことが確認された。【００２２】  また、冷え性に悩む多くの人に、本考案の介護用ネットを試してもらったところ、基礎体温が上がり、足の冷え性が改善されることが確認された。【００２３】  また、運動選手に、本考案の介護用ネットを試してもらったところ、運動後の疲労の回復が早くなることが確認された。
【産業上の利用可能な分野】
【００２４】本考案は、介護用ネットとしてだけでなく、自動車の運転席の背部に敷くと運転の疲労が軽減する。また果物や生鮮食品を介護用ネット上に置くことで、果物の旨みを増やしたり鮮度を保持することができるため生鮮食品の鮮度保持剤として利用できる。
【図面の簡単な説明】
【００２５】
【図１】本考案の介護用ネットの作用概念の断面を示す。
【符号の説明】
【００２６】  １  体
２  介護用ネット
３  ベッドシーツ
４  ベッドマット
５  共鳴電磁波
６  水分子クラスター
７  水単分子
８  電子
【図１】
0003199453.tif 000003
【手続補正書】
【提出日】平成27年3月2日(2015.3.2)
【手続補正１】
【補正対象書類名】実用新案登録請求の範囲
【補正対象項目名】全文
【補正方法】変更
【補正の内容】
【実用新案登録請求の範囲】
【請求項１】
特定周波数の共鳴電磁波を放射することを特徴とする介護用ネット。
【請求項２】
請求項１に記載の特定の周波数は、３２〜３８テラヘルツの共鳴電磁波を、２〜１２時間、２０℃〜９０℃の温度条件下で、介護用ネットの素材に照射することで、当該介護用ネット自体を当該共鳴電磁波の転写放射体とすることにより放射される共鳴電磁波の周波数であることを特徴とする請求項１に記載の介護用ネット。
【手続補正書】
【提出日】平成27年6月1日(2015.6.1)
【手続補正１】
【補正対象書類名】実用新案登録請求の範囲
【補正対象項目名】全文
【補正方法】変更
【補正の内容】
【実用新案登録請求の範囲】
【請求項１】
特定の周波数の共鳴電磁波を、２〜１２時間、２０℃〜９０℃の温度条件下で、プラスチック製や塩化ビニール製や天然または合成ゴム製や天然または化学繊維製の介護用ネットに照射することで、当該介護用ネット自体を当該共鳴電磁波の転写放射体とすることにより３２〜３８テラヘルツの共鳴電磁波を放射することを特徴とする介護用ネット。
【請求項２】
前記特定の周波数は、３２〜３８テラヘルツの共鳴電磁波とする請求項１に記載の介護用ネット。